(57)【要約】      （修正有）【課題】より効率良く糸屑を捕獲することのできる糸屑捕集具及びそれを備えた洗濯機を提供する。【解決手段】洗濯槽に取り付ける糸屑捕集具1であって、通水性を有し糸屑を捕集する袋状の糸屑捕集フィルタ８と、該糸屑捕集フィルタ８の外側に該糸屑捕集フィルタ８の内部と連通するようにして設けられた袋状の逆止フィルタ１１とを備えたことを特徴とする。【選択図】図２
2006075255.tif 000002
【特許請求の範囲】
【請求項１】
洗濯槽に取り付ける糸屑捕集具であって、開口部を介して洗濯槽の糸屑をその内部に取り込んで該糸屑の捕集を行う通水性を有する袋状の糸屑捕集フィルタと、該糸屑捕集フィルタの外側に設けられて該糸屑捕集フィルタ内部と連通するように連通開口を配した通水性を有する袋状の逆止フィルタとを備えたことを特徴とする糸屑捕集具。
【請求項２】
前記逆止フィルタは、前記連通開口に対してその奥側の少なくとも一部が上方に位置することを特徴とする請求項１に記載の糸屑捕集具。
【請求項３】
前記逆止フィルタは、前記連通開口の開口面が前記糸屑捕集フィルタの前記開口部の開口面と略垂直をなすことを特徴とする請求項１または請求項２に記載の糸屑捕集具。
【請求項４】
前記糸屑捕集フィルタを支持する枠体が設けられ、該枠体が洗濯槽の内面に着脱自在とされたことを特徴とする請求項１〜３のいずれかに記載の糸屑捕集具。
【請求項５】
前記枠体が、洗濯槽の周方向へ回動自在とされたことを特徴とする請求項４に記載の糸屑捕集具。
【請求項６】
前記逆止フィルタは、前記糸屑捕集フィルタよりも高い浮力を有することを特徴とする請求項１〜５のいずれかに記載の糸屑捕集具。
【請求項７】
前記逆止フィルタは、前記連通開口の断面積よりもその奥側の断面積のほうが大きいことを特徴とする請求項１〜６のいずれか一項に記載の糸屑捕集具。
【請求項８】
前記逆止フィルタを前記糸屑捕集フィルタから着脱可能としたことを特徴とする請求項１〜７のいずれかに記載の糸屑捕集具。
【請求項９】
請求項１〜８のいずれか一項に記載の糸屑捕集具を備えたことを特徴とする洗濯機。
【発明の詳細な説明】
【技術分野】
【０００１】
本発明は、捕獲した糸屑の逆流を防止することのできる糸屑捕集具及びそれを備えた洗濯機に関するものである。
【背景技術】
【０００２】
洗濯槽内を浮遊する糸屑を捕集する糸屑捕集具を備えた洗濯機が、特許文献１に開示されている。図１１はその洗濯機の側面断面図、図１２は同じく洗濯機の主要部分の拡大横断面図、図１３は同じく洗濯機の主要部分の分解斜視図である。図１１〜図１３に示すように、特許文献１記載の糸屑捕集具２０は、網袋からなる１つのフィルタ２１と、そのフィルタ２１の口部を縁取る枠体２２とから構成され、枠体２２の下部中央及び上部中央に突出形成された軸部２３を、洗濯槽２４内面に固定されたフィルタ取付台２５の軸孔２５ａに嵌合することにより、その軸部２３を中心として左右揺動可能に取り付けられる。
【０００３】
図１２に示すように、洗濯槽内の洗濯水が糸屑捕集具２０の近傍で矢印Ｙ方向に流れる場合には、その水流によりフィルタ２１は軸部を中心として反時計方向に回転させられて、フィルタ２１の開口が水流の上流側に開口し、洗濯槽２４内を流れる洗濯水及び糸屑をフィルタ２１内に取り込むことができる。したがって、水流の向きに関係なく、糸屑を捕獲することができる。
【０００４】
【特許文献１】特開平７−１８５１９２号公報（段落００１７参照）
【発明の開示】
【発明が解決しようとする課題】
【０００５】
しかしながら、上記の糸屑捕集具は、水位、水流、フィルタの状態によって、一度捕獲した糸屑がフィルタ外へ逆流してしまうという不具合があった。本発明は、上記課題に鑑み、糸屑の逆流を防止できる糸屑捕集具の提供を目的としている。
【課題を解決するための手段】
【０００６】
上記目的を達成するため、本発明は、洗濯槽に取り付ける糸屑捕集具であって、開口部を介して洗濯槽の糸屑をその内部に取り込んで該糸屑の捕集を行う通水性を有する袋状の糸屑捕集フィルタと、該糸屑捕集フィルタの外側に設けられて該糸屑捕集フィルタ内部と連通するように連通開口を配した通水性を有する袋状の逆止フィルタとを備えたことを特徴とするものである。
【０００７】
開口部から糸屑捕集フィルタ内に流入した糸屑が、糸屑捕集フィルタ内部に連通する逆止フィルタ内に流れ込むことにより、糸屑捕集フィルタ及び逆止フィルタの２段階で糸屑を捕獲することができる。したがって、糸屑が糸屑捕集フィルタ外へ流出するのを防止できる。
【０００８】
なお、逆止（逆流の防止）とは、逆止フィルタ外へ糸屑が流出するのを防止することであり、大きくは糸屑捕集フィルタ外へ糸屑が流出するのを防止することを含む概念である。逆止フィルタの逆止機構の原理としては、以下の３態様がある。
【０００９】
１．浮力による逆止機構
逆止フィルタを糸屑捕集フィルタの上方に設けた場合や、上方に設けなくても逆止フィルタの袋体の奥側が、逆止フィルタの糸屑捕集フィルタとの連通開口よりも、水平方向で高い位置に位置するように設けられている場合には、糸屑はその浮力により浮き上がり、逆止フィルタの奥側に留まるので、逆止フィルタ外へ流出しにくくなる。したがって、糸屑の逆流を防止できる。
【００１０】
２．逆止フィルタの開口の大きさによる逆止機構
逆止フィルタは、糸屑捕集フィルタとの連通開口の断面積よりも奥側の断面積のほうが大きい場合には、逆止フィルタ内に一旦流入した糸屑は、糸屑捕集フィルタとの連通開口が小さいことにより、逆止フィルタ外へ流出しにくくなる。したがって、糸屑の逆流を防止できる。
【００１１】
３．逆止フィルタの開口の位置による逆止構造
逆止フィルタの連通開口の開口面が、糸屑捕集フィルタの開口部の開口面と平行でない場合には、逆止フィルタ内が複雑な構造となるので、逆止フィルタ外又は糸屑捕集フィルタ外へ糸屑が流出しにくくなる。したがって、糸屑の逆流を防止できる。なお、糸屑捕集フィルタから逆止フィルタ内への糸屑の流入のしやすさと、逆止フィルタから糸屑捕集フィルタへの糸屑の流出のしにくさとの両方を達成することを考えると、逆止フィルタの連通開口の開口面と糸屑捕集フィルタの開口部の開口面とは、垂直をなす関係にあるのが好ましい。
【００１２】
糸屑捕集具を洗濯機に固定する場合は、糸屑捕集フィルタを支持する枠体を設け、枠体を、洗濯槽の内面に着脱自在に支持するのが好ましい。枠体を設けることにより、糸屑捕集フィルタの開口形状を保形することができる。また、枠体を洗濯槽から取り外し可能とすることにより、簡単にフィルタ内を清掃することができる。さらに、糸屑捕集フィルタは枠体に着脱自在に支持されるのが好ましい。枠体から取り外すことにより、フィルタ内の清掃がさらにしやすくなる。
【００１３】
また、枠体を、洗濯槽の周方向へ回動自在に設けるのが好ましい。枠体が洗濯槽の周方向へ回動自在に設けられているので、糸屑捕集フィルタの開口を常に洗濯槽の水流の上流側へ向けることができ、洗濯水とともに糸屑を糸屑捕集フィルタ内へ導くことができる。なお、洗濯槽とは、洗濯兼脱水槽を含む概念である。
【００１４】
逆止フィルタは、糸屑捕集フィルタの内部と連通する態様であれば、糸屑捕集フィルタの外面側のいずれの位置に設けてもよいが、糸屑捕集フィルタの上方に糸屑捕集フィルタとの連通開口を設けるのが好ましい。糸屑捕集フィルタ内に流入した糸屑はその浮力により浮き上がるので、逆止フィルタ内に流入しやすくできる。また、糸屑の浮力により、逆止フィルタから流出もしにくくなり、糸屑の逆流を防止できる。なお、糸屑捕集フィルタの内部に逆止フィルタを連通させるには、糸屑捕集フィルタの一部に洗濯槽からの糸屑を取り込む開口とは別の開口を設け、その開口を逆止フィルタの開口で覆うようにして設ければよい。
【００１５】
逆止フィルタを糸屑捕集フィルタの上方に設けない場合は、逆止フィルタの袋体の奥側が、逆止フィルタの糸屑捕集フィルタとの連通開口よりも、鉛直方向において上方に位置するように、逆止フィルタを折曲させるなどして延長させるのが好ましい。糸屑捕集フィルタ内に流入した糸屑はその浮力により、逆止フィルタの奥側に溜まり、逆止フィルタから外へ流出しにくくなるからである。
【００１６】
逆止フィルタの素材は、通水性を有する袋状のものであれば限定されるものではないが、糸屑捕集フィルタよりも高い浮力を有するのが好ましい。糸屑捕集フィルタの奥側が鉛直方向において、糸屑捕集フィルタとの連通開口よりも上方に位置しやすくなり、逆止フィルタ内の糸屑が逆流しにくくなる。逆止フィルタに糸屑捕集フィルタよりも高い浮力を持たせるには、糸屑捕集フィルタの素材よりも比重が小さい素材を逆止フィルタに用いてもよいし、逆止フィルタに浮き等の浮力の大きい物を取付けてもよい。
【００１７】
逆止フィルタの形状は、袋状のものであれば限定されるものではないが、好ましくは、奥側の断面積よりも糸屑捕集フィルタとの連通開口の断面積を小さくすることにより、逆止フィルタ内の糸屑が流出しにくくなる。
【００１８】
逆止フィルタは糸屑捕集フィルタと一体的に形成してもよいが、糸屑捕集フィルタから着脱可能とするのが好ましい。糸屑捕集フィルタと逆止フィルタとを分離させることにより、糸屑防止フィルタ及び逆止フィルタの清掃がしやすくなる。逆止フィルタを糸屑捕集フィルタに着脱自在に設ける手段としては限定されるものではないが、例えば、糸屑捕集フィルタと逆止フィルタの開口とを面ファスナーやスライドファスナー、あるいは、ボタン、ファスナーで着脱自在に連結する。
【発明の効果】
【００１９】
本発明によると、糸屑捕集フィルタ内に流入した糸屑が、糸屑捕集フィルタ内部に連通する逆止フィルタ内に流れ込むことにより、糸屑捕集フィルタ及び逆止フィルタの２段階で糸屑を捕獲することができるので、糸屑が糸屑捕集フィルタ外へ流出するのを防止することができる。    
【発明を実施するための最良の形態】
【００２０】
以下、本発明の実施形態を図面に基づいて説明する。
＜第１の実施形態＞
図１は本実施形態の洗濯機の側面断面略図、図２は糸屑捕集具を捕集具取付台から取り外した状態を示す側面図、図３は洗濯兼脱水槽内面に設けられた糸屑捕集具の正面図である。なお、図２において捕集具取付台のみ断面図で示している。また、図３において、糸屑捕集フィルタ及び逆止フィルタを破線で表している。
【００２１】
本実施形態の洗濯機は、糸屑捕集具１を備えた洗濯機であって、詳しくは、図１に示すように、洗濯機本体２と、洗濯機本体２内に釣り下げ手段（不図示）で弾性的に支持された水槽３と、水槽３内に水平回転できるように槽軸４ａで支持された洗濯兼脱水槽４と、洗濯兼脱水槽４の内面に設けられた捕集具取付台５と、捕集具取付台５に着脱自在に固定された糸屑捕集具１と、洗濯兼脱水槽４内に水平回転できるようにパルセータ軸６ａに支持されたパルセータ６と、水槽３の下部に設けられた洗濯モータ７ａとを備えている。洗濯モータ７ａは、その駆動力をクラッチ機能付減速機構７ｂを介して、脱水時には槽軸４ａに、洗濯時にはパルセータ軸６ａに選択的に伝達する。
【００２２】
図２及び図３に示すように、糸屑捕集具１は、通水性を有し糸屑を捕集する袋状の糸屑捕集フィルタ８と、糸屑捕集フィルタ８の洗濯兼脱水槽４との開口部８ａの開口縁に取り付けられた合成樹脂製で環状の捕集枠体９と、その奥側に設けられるとともに洗濯兼脱水槽４への開口部８ａの開口の向きと略垂直をなす方向へと開口する糸屑捕集フィルタ８の上部開口縁に設けられた合成樹脂製で環状の上部開口枠体１０と、該上部開口枠体１０に設けられ、糸屑の逆流を防止する通水性を有する逆止フィルタ１１と、逆止フィルタ１１の糸屑捕集フィルタ８との連通開口１１ａの開口縁に取り付けられた合成樹脂製で環状の逆止枠体１２とから構成される。逆止枠体１２は、捕集枠体９に内接する大きさとされる。
【００２３】
糸屑捕集フィルタ８は、目の細かい網目状のフィルタ素材により袋状に形成される。なお、糸屑捕集フィルタ８としては、網体の他、通水性を有する織布又は不織布を採用することができる。糸屑捕集フィルタ８の素材としては、ナイロンが使用されるが、その他の合成樹脂、天然繊維、金属、非金属、複合材等を使用することができる。なお、これに限定されるものではない。
【００２４】
糸屑捕集フィルタ８の上部には、逆止フィルタ１１を連結するための上部開口が形成される。上部開口の位置は、糸屑捕集フィルタ８の上部のどの位置に形成してもよいが、本実施形態においては糸屑捕集フィルタ８の奥側に形成される。この位置に逆止フィルタ１１を連結すれば、後述する捕集具取付台５の上固定部１７が邪魔にならないですむ。
【００２５】
逆止フィルタ１１は、目の細かい網目状のフィルタ素材により袋状に形成される。逆止フィルタ１１としては、網体の他、通水性を有する織布又は不織布を採用することができる。逆止フィルタ１１の素材としてはナイロンが使用される。なお、ナイロンに限定されるものではなく、合成樹脂、天然繊維、金属、非金属、複合材等の他の素材を使用することができる。また、逆止フィルタ１１の素材は、糸屑捕集フィルタ８の素材と同じにしてもよいが、糸屑捕集フィルタ８よりも浮力の大きい素材を用いるのが好ましい。なお、このように、逆止フィルタ１１の素材自体に浮力を持たせるのではなく、浮き等の浮力のある別部材を逆止フィルタに取り付ける構成としてもよい。
【００２６】
糸屑捕集フィルタ８の上部開口枠体１０及び逆止フィルタ１１の逆止枠体１２には、互いを係脱自在に係止する係止手段（図示せず）が設けられ、逆止フィルタ１１が糸屑捕集フィルタ８に着脱自在に固定される。本実施形態においては、逆止枠体１２の外面に凸状のツメ（図示せず）が設けられ、上部開口枠体１０の内面で、逆止枠体１２のツメと対向する位置に係止孔（図示せず）が形成される。ツメと係止孔とを嵌合させることにより、上部開口枠体１０と逆止枠体１２とを係合させることができる。また、簡単に取り外すこともできる。なお、これとは逆に、上部開口枠体１０の内面に凸状のツメを設け、逆止枠体１２に係止孔を形成してもよい。上部開口枠体１０と逆止枠体１２とを着脱自在とすることにより、糸屑捕集フィルタ８に逆止フィルタ１１を着脱自在に取り付けることができる。
【００２７】
また、捕集枠体９には、その上面から上方へ突出した後、洗濯槽４側に折曲した上方延長板１３と、下面から下方へ突出した後、洗濯槽４側に折曲した下方延長板１４とが設けられる。上方延長板１３及び下方延長板１４の先端は、洗濯槽４側へ突出されている。上方延長板１３及び下方延長板１４の先端の中央部分に、それぞれ上方及び下方に突出する軸部１５が形成される。軸部１５は後述する捕集具取付台５の軸孔１８ａ及び溝１７ａに着脱自在に嵌合されるが、上方延長板１３及び下方延長板１４が洗濯槽４側へ突出して形成されているので、糸屑捕集具１を洗濯兼脱水槽４の周方向へ回動自在とすることができる。
【００２８】
捕集具取付台５は、板状の取付台本体１６と、取付台本体１６の上端及び下端から洗濯兼脱水槽４の軸側へ突出する上固定部１７及び下固定部１８とから構成され、洗濯兼脱水槽４の内面にネジ等の固定手段（図示せず）で固定される。上固定部１７には、その下面に洗濯兼脱水槽４の半径方向に延びる溝１７ａが形成され、下固定部１８には軸孔１８ａが形成される。下固定部１８の軸孔１８ａに、捕集枠体９の下方の軸部１５を挿入し、上固定部１７の溝１７ａに捕集枠体９の上方の軸部１５をはめ込むことにより、捕集枠体９が捕集具取付台５に軸支される。なお、捕集枠体９をはめ込む際には、上方延長板１３及び下方延長板１４の形状がクッションのような作用を示すので、簡単に取り付けることができる。また、図３に示すように、取付台本体１６には、その左右端（洗濯兼脱水槽４の周方向端）から糸屑捕集フィルタ８の取付位置にかけて、左右方向（洗濯兼脱水槽４の周方向）に沿って複数の隆起した流動リブ１９が略等間隔に一体成形される。この隣接する流動リブ１９間が導水路１９ａとして作用し、洗濯兼脱水槽４内の水を流動リブ１９に沿って糸屑捕集フィルタ８へ導くことができる。
【００２９】
上記構成において、糸屑捕集具１は、糸屑捕集フィルタ８の上部開口の外側に、逆止フィルタ１１を配し、上部開口枠体１０に形成された係止孔に、逆止枠体１２の外面に形成されたツメを嵌合させることにより、組み立てられる。このように組み立てられた糸屑捕集具１は、捕集枠体９の下方の軸部１５を、捕集具取付台５の下固定部１８の軸孔１８ａに挿入し、捕集枠体９の上方の軸部１５を、捕集具取付台５の上固定部１７の溝１７ａにはめ込むことにより、糸屑捕集具１が捕集具取付台５に固定される。固定された糸屑捕集具１は、捕集枠体９の上方及び下方の軸部１５により軸回転可能に固定される。
【００３０】
洗濯時において洗濯兼脱水槽４内に水流が発生すると、糸屑捕集具１の側面が水流を受け、糸屑捕集具１はその開口部８ａの開口を水流の上流側に向けるように軸回転する。大量の洗濯水が糸屑とともに糸屑捕集フィルタ８内に流れ込む。流れ込んだ糸屑はその浮力により浮き上がるので、糸屑捕集フィルタ８の上方に位置し、糸屑捕集フィルタ８の内部と連通する逆止フィルタ１１内に流れ込む。逆止フィルタ１１内に流れ込んだ糸屑は、その浮力により、逆止フィルタ内から逆流しにくい。
【００３１】
糸屑捕集具１の清掃時には、糸屑捕集具１を捕集具取付台５から取り外し、糸屑捕集フィルタ８の上部開口枠体１０と、逆止フィルタ１１の逆止枠体１２との係合を取り外すことにより、糸屑捕集フィルタ８と逆止フィルタ１１とに分解することができ、容易に清掃を行うことができる。
【００３２】
なお、上記実施形態においては、逆止フィルタ１１を糸屑捕集フィルタ８に着脱自在に設けたが、図４に示すように、逆止フィルタ１１を糸屑捕集フィルタ８と一体的に形成してもよい。
【００３３】
＜第２の実施形態＞
図５は第２の実施形態の糸屑捕集具を捕集具取付台から取り外した状態を示す側面図である。図５に示すように、本実施形態においては、逆止フィルタの形状を開口部８ａ断面積よりも奥側の断面積が大きくなるように正面視略Ｔ字状に形成されたことを特徴とするものであり、その他の基本的な構成は上記第１の実施形態と同様である。
【００３４】
逆止フィルタ１１は、糸屑捕集フィルタ８と連結する連通開口１１ａの断面積よりもその奥側の断面積が大きくなるように、正面視略Ｔ字状に形成される。逆止フィルタ１１は、糸屑捕集具１の捕集具取付台５への取付時において、逆止フィルタ１１の奥側の幅広部１１ｂの下端が上固定部１７の上方に位置するように形成される。
【００３５】
逆止フィルタ１１を正面視略Ｔ字状の形状とすることにより、糸屑捕集フィルタ８との連通開口１１ａの断面積が奥側の断面積に比して小さくなり、また、逆止フィルタ１１の内部に段差を有する複雑な構造となるので、一度、逆止フィルタ１１内に捕獲された糸屑が、逆止フィルタ１１外へ流出しにくくなる。また、逆止フィルタ１１の体積が大きくなるので、糸屑の捕獲量も増える。また、逆止フィルタ１１の上方側の幅広部１１ｂは、捕集具取付台５の上固定具１９の上方に位置するので、水流により逆止フィルタ１１が下方へ押されても、幅広部１１ｂが上固定具１９にひっかかるので、より逆止フィルタ１１内の糸屑が逆流しにくくなる。したがって、幅広部１１ｂの洗濯槽側の端部は、上固定具１９の上方の大部分を覆う程度にまで延長させるのが好ましい。
【００３６】
なお、上記実施形態においては、逆止フィルタ１１を糸屑捕集フィルタ８に着脱自在に設けたが、図６に示すように、逆止フィルタ１１を糸屑捕集フィルタ８と一体的に形成してもよい。
【００３７】
＜第３の実施形態＞
図７は、第３の実施形態の糸屑捕集具を捕集具取付台から取り外した状態を示す側面図である。図７に示すように、本実施形態においては、逆止フィルタ１１を糸屑捕集フィルタ８の上方以外、ここでは側方に設けたことを特徴とするものであり、その他の基本的な構成は上記第１の実施形態と同様である。
【００３８】
糸屑捕集フィルタ８の奥側側方には、逆止フィルタ１１を連結するための側方開口が形成される。側方開口の位置は、糸屑捕集フィルタ８の側方のどの位置に形成してもよい。
【００３９】
逆止フィルタ１１は、その袋体の奥側が、糸屑捕集フィルタとの連通開口１１ａよりも鉛直方向において上方に位置するように、Ｌ字状に折曲して形成される。なお、図９に示すように、逆止フィルタ１１の奥側に浮き１１ｃ等の浮力を有する物を設けたり、逆止フィルタ１１の奥側を糸屑捕集フィルタ８に固定したりすることにより、逆止フィルタ１１の奥側を鉛直方向において上方に位置するようにしてもよい。
【００４０】
逆止フィルタ１１の奥側を、逆止フィルタ１１の糸屑捕集フィルタ８との連通開口１１ａよりも、鉛直方向において上方に位置するようにすることにより、一度、逆止フィルタ１１内に捕獲された糸屑は、その浮力により、逆止フィルタ１１の奥側に溜まり、逆止フィルタ１１外へ流出しにくくなる。したがって、糸屑の逆流を防止することができる。
【００４１】
なお、上記実施形態においては、逆止フィルタ１１を糸屑捕集フィルタ８に着脱自在に設けたが、図８に示すように、逆止フィルタ１１を糸屑捕集フィルタ８と一体的に形成してもよい。
【００４２】
また、上記実施形態においては、逆止フィルタ１１を糸屑捕集フィルタ８の側方に連通開口１１ａを形成するよう設けたが、図１０に示すように、糸屑捕集フィルタ８の洗濯兼脱水槽４への開口面と略垂直下方に連通開口１１ａを形成するように設けてもよい。逆止フィルタ１１の奥側が、糸屑捕集フィルタ８との連通開口１１ａよりも鉛直方向において上方に位置するように、コの字状に形成すればよい。      
【図面の簡単な説明】
【００４３】
【図１】本実施形態の洗濯機の側面断面略図
【図２】糸屑捕集具を捕集具取付台から取り外した状態を示す側面図
【図３】洗濯兼脱水槽内面に設けられた糸屑捕集具の正面図
【図４】第１の実施形態の変形例の糸屑捕集具を捕集具取付台から取り外した状態を示す側面図
【図５】第２の実施形態の糸屑捕集具を捕集具取付台から取り外した状態を示す側面図
【図６】第２の実施形態の変形例の糸屑捕集具を捕集具取付台から取り外した状態を示す側面図
【図７】第３の実施形態の糸屑捕集具を捕集具取付台から取り外した状態を示す側面図
【図８】第３の実施形態の変形例の糸屑捕集具を捕集具取付台から取り外した状態を示す側面図
【図９】第３の実施形態の変形例の糸屑捕集具を捕集具取付台から取り外した状態を示す側面図
【図１０】第３の実施形態の変形例の糸屑捕集具を捕集具取付台から取り外した状態を示す側面図
【図１１】従来の洗濯機の側面断面略図
【図１２】同じく洗濯機の主要部分の拡大横断面図
【図１３】同じく洗濯機の主要部分の分解斜視図
【符号の説明】
【００４４】
１    糸屑捕集具
４    洗濯兼脱水槽
５    捕集具取付台
８    糸屑捕集フィルタ
９    捕集枠体
１０    上部開口枠体
１１    逆止フィルタ
１１ｂ  幅広部
１２    逆止枠体
１５    軸部
【図１】
2006075255.tif 000003
【図２】
2006075255.tif 000004
【図３】
2006075255.tif 000005
【図４】
2006075255.tif 000006
【図５】
2006075255.tif 000007
【図６】
2006075255.tif 000008
【図７】
2006075255.tif 000009
【図８】
2006075255.tif 000010
【図９】
2006075255.tif 000011
【図１０】
2006075255.tif 000012
【図１１】
2006075255.tif 000013
【図１２】
2006075255.tif 000014
【図１３】
2006075255.tif 000015